(57)【特許請求の範囲】
【請求項１】
上枠と下枠と左右の縦枠を備えた枠体と、
前記枠体の間で屋外側に連結されていて補助枠を構成するアタッチメントと、
前記枠体とアタッチメントで仕切られた開口部に設置された複層パネルとを備え、
前記アタッチメントの長手方向の端部と前記枠体との間に前記アタッチメントの伸縮を許容する間隙を形成し、
前記間隙には前記アタッチメントの伸縮をガイドするガイド部材が固定され、
前記ガイド部材は、前記枠体に固定された基部と、該基部から延びていて前記アタッチメントに形成した開口に相対的に進退可能に挿入されているガイド部とを有しており、
前記ガイド部材に設けられたピンが前記アタッチメントの表面に形成された係合穴に係合され、
前記ガイド部材の前記基部の屋外側の面には前記アタッチメントと前記ガイド部材の前記基部との間の隙間を隠す隙間隠しが設けられたことを特徴とする建具。
【請求項２】
前記アタッチメントは、前記枠体の上枠と下枠の間に設置された方立アタッチメントである請求項１に記載された建具。
【請求項３】
前記アタッチメントは、前記枠体の左右の縦枠の間に設置された無目アタッチメントである請求項１に記載された建具。
【請求項４】
前記複層パネルの屋内側面は、前記枠体に設けられた気密材に押圧され、
前記複層パネルの屋外側面は、前記アタッチメントに嵌合された押し縁のヒレ部に押圧されている請求項１から３のいずれか１項に記載された建具。
【発明の詳細な説明】
【技術分野】
【０００１】
本発明は、複層パネルのパネル数を選択的に増減したものを枠体に取り付け可能な建具に関する。
【背景技術】
【０００２】
従来、建物の屋内の断熱性を高めるために開口部にペアガラスやトリプルガラス等の複層パネルを設置することが行われており、特に寒冷地では断熱性を高めるために樹脂製の窓を設置し、障子の複層パネルのガラスパネルの数を増大する傾向にある。しかしながら、例えば建物の開口部に固定された枠体にペアガラスを備えた障子を収納した場合、トリプルガラスの障子に交換するには、枠体を幅広のものに交換せざるを得ないため、材料と施工のコストが高くなる欠点があった。
【０００３】
これに対し、例えば特許文献１に記載された建具では、枠体と框体を交換することなく共通のものを用いるものとし、複層パネルはペアガラスとトリプルガラスのいずれか一方を選択して、選択した複層パネルに適合した押し縁を複層パネルに押圧して設置することができる。
これによって、温度環境や顧客の要求に応じて選択した断熱性の異なる複層パネルを備えた建具を施工できるようにしている。
【先行技術文献】
【特許文献】
【０００４】
【特許文献１】特開２０１５−１０５５０６号公報
【発明の概要】
【発明が解決しようとする課題】
【０００５】
しかしながら、このような建具であっても、ガラスパネルの数が例えば２層以上増減するような場合には、押し縁を交換するだけでは枠体と框体を共通にして異なるガラスパネル枚数の複層パネルを交換して設置することは困難であった。そのため、このような場合には枠体や框体の交換が必要になるため、部品コストや施工コストが増大する欠点があった。
ところで、建具を２つ以上連結する連窓や段窓においては、建具を連結するために各窓の間に方立や無目を取り付けることがある。このような連窓または段窓では、枠体の方立や無目にアタッチメントを取り付けて枠体の見込み方向の幅を増大させることで異なる種類の複層パネルを設置できるようにした建具も考えられるが、この場合、アタッチメントが熱で伸縮するとアタッチメントの端部が既設の枠体の中間部を押圧して変形させることになるため見栄えが悪くなり、建具の耐久性が低下する恐れが生じる。
【０００６】
本発明は、このような課題に鑑みてなされたものであって、複数種類の複層パネルを選択して設置した場合に、設置したアタッチメントが熱で伸縮しても枠体の変形を防止できるようにした建具を提供することを目的とする。
【課題を解決するための手段】
【０００７】
本発明による建具は、上枠と下枠と左右の縦枠を備えた枠体と、枠体の間で屋外側に連結されていて補助枠を構成するアタッチメントと、枠体とアタッチメントで仕切られた開口部に設置された複層パネルとを備え、アタッチメントの長手方向の端部と枠体との間にアタッチメントの伸縮を許容する間隙を形成し、前記間隙には前記アタッチメントの伸縮をガイドするガイド部材が固定され、前記ガイド部材は、前記枠体に固定された基部と、該基部から延びていて前記アタッチメントに形成した開口に相対的に進退可能に挿入されているガイド部とを有しており、前記ガイド部材に設けられたピンが前記アタッチメントの表面に形成された係合穴に係合され、前記ガイド部材の前記基部の屋外側の面には前記アタッチメントと前記ガイド部材の前記基部との間の隙間を隠す隙間隠しが設けられたことを特徴とする。
本発明によれば、枠体の間で補助枠としてアタッチメントを設置し、枠体とアタッチメントで仕切られた開口部に複層パネルを備えた状態で、アタッチメントが熱で伸縮した場合でもアタッチメントの変位を間隙で吸収できるため、アタッチメントが枠体を押圧して変形させたりすることを防止できる。
【０００８】
しかも、間隙にはアタッチメントの伸縮をガイドするガイド部材が固定されているため、ガイド部材によってアタッチメントの伸縮をガイドして伸長時にはその押圧力をガイド部材で受けると共に収縮時にはガイド部材との間で目立たないように保持できる。
【０００９】
しかも、ガイド部材は、枠体に固定された基部と、該基部から延びていてアタッチメントに形成した開口に相対的に進退可能に挿入されているガイド部とを有している。
アタッチメントが熱で伸縮した場合でもガイド部材のガイド部で伸縮方向をガイドすることで変形を押えると共に、伸長した場合には基部でアタッチメントの押圧力を受け止め、収縮時には基部との間に小さな隙間が形成されて目立たせず、意匠性が高い。
なお、アタッチメントの熱伸縮が小さい場合にはアタッチメントの端部とガイド部材との間に隙間を形成して受けてもよい。また、ガイド部材にはアタッチメントと基部との隙間を隠す隙間隠しを設けてもよく、アタッチメントが伸縮しても隙間隠しで隠すことができるので意匠性が向上する。
【００１０】
また、ガイド部材は、アタッチメントの端部を進退可能に嵌合したキャップであってもよい。
アタッチメントが熱で伸縮した場合に、キャップ内でアタッチメントの端部が進退するため、伸長した場合にはキャップ内でアタッチメントを受け止め、収縮時にはキャップ内に間隙を形成して目立たせない。
【００１１】
また、アタッチメントは、枠体の上枠と下枠の間に設置された方立アタッチメントであってもよい。
方立アタッチメントが伸縮した場合、伸長時には上枠または下枠を押して変形させることを防止し、収縮時には上枠または下枠との間に間隙を形成しても目立たせない。
【００１２】
また、アタッチメントは、枠体の左右の縦枠の間に設置された無目アタッチメントであってもよい。
無目アタッチメントが伸縮した場合、伸長時には左右の縦枠を押して変形させることを防止し、収縮時には縦枠との間に間隙を形成しても目立たせない。
なお、前記複層パネルの屋内側面は、前記枠体に設けられた気密材に押圧され、前記複層パネルの屋外側面は、前記アタッチメントに嵌合された押し縁のヒレ部に押圧されていてもよい。
【発明の効果】
【００１３】
本発明による建具によれば、パネル数の異なる複層パネルを交換してアタッチメントとの間の開口部に設置する場合、アタッチメントが熱で伸縮した場合でもアタッチメントの変位を間隙で吸収できるため、アタッチメントが枠体を押圧して変形させたりすることを防止できる。
【図面の簡単な説明】
【００１４】
【図１】本発明の実施形態による連窓の水平断面図である。
【図２】図１に示す連窓のＦＩＸ窓の縦断面図である。
【図３】図１に示す連窓の縦辷り出し窓の縦断面図である。
【図４】図１に示す連窓の方立部分の拡大断面図である。
【図５】実施形態による連窓に方立アタッチメントを取り付けた要部正面図である。
【図６】ＦＩＸ窓の上枠と下枠の間に設置した方立アタッチメントと上枠アタッチメントと下枠アタッチメントとの連結構造を示す図５のＡ−Ａ線断面図である。
【図７】図６に示す方立アタッチメントと上側と下側のガイド部材とを示す要部分解斜視図である。
【図８】方立アタッチメントと下側のガイド部材との嵌合状態を示す部分斜視図である。
【図９】ＦＩＸ窓を仕切る方立に設置した方立アタッチメントと下枠アタッチメントとの取り付け状態を示す部分斜視図である。
【図１０】変形例による方立アタッチメントとキャップとの嵌合状態を示す要部斜視図である。
【図１１】図１０に示す方立アタッチメントとキャップの取り付け状態を示す斜視図である。
【発明を実施するための形態】
【００１５】
以下、本発明の実施形態による建具の一例を添付図面により説明する。
図１乃至図９は本発明の実施形態による連窓１を示すものである。図１に示す実施形態による連窓１は、建物の躯体に形成された建物開口部に取り付けられる例えば四角形の枠体２内に、例えばＦＩＸ窓(嵌め殺し窓)３と縦辷り出し窓４とを方立５を挟んで左右方向に配列した構成を備えている。
ＦＩＸ窓３は枠体２と方立５で仕切られた一方の開口部１３Ａに固定した障子７を備え、縦辷り出し窓４は枠体２と方立５との間の他方の開口部１３Ｂに吊元側の縦框回りに開閉可能に納めた障子８を備えている。しかも、連窓１は断熱性の高い樹脂からなる樹脂建具である。
【００１６】
図１〜図３において、連窓１の枠体２は躯体の開口に設置された樹脂製の上枠１０と下枠１１と左右の縦枠１２Ａ、１２Ｂとからなる四角形枠状の開口部１３を備えている。なお、上枠１０と下枠１１と左右の縦枠１２Ａ，１２Ｂは端部同士を当接させて互いに熱溶着させている。そのため、熱で上枠１０、下枠１１、左右の縦枠１２Ａ，１２Ｂが伸長しようとしても互いにその応力を吸収して熱変形を抑制できる。
図２、図３において、上枠１０は、断面略四角形をなす複数のホロー部１０ａの屋外側にテーパ状のホロー部１０ｂを連結してなり、下枠１１も、断面略四角形をなす複数のホロー部１１ａの屋外側にテーパ状のホロー部１０ｂを連結している。
また、図１において、左右の縦枠１２Ａ，１２Ｂは、断面略四角形をなす複数のホロー部１２ａの屋外側にテーパ状のホロー部１２ｂを連結している。テーパ状のホロー部１０ｂ、１１ｂ、１２ｂは内面が屋内側から屋外側に向けて開口部１３の幅が次第に広がるようにテーパ状に形成されている。また、断面略四角形をなすホロー部１０ａ，１１ａ、１２ｂ内には断熱材１５が設置されている。
【００１７】
そして、左右の縦枠１２Ａ，１２Ｂの中間に上下方向に延びて開口部１３を仕切る方立５は断面略四角形状のホロー部からなり、内部に断熱材１５が設置されている。
この連窓１において、枠体２の開口部１３ＡのＦＩＸ窓３には縦枠１２Ａの略四角形状のホロー部１２ａと方立５との間に２層または３層ガラスパネルの障子が設置されていた。また、開口部１３Ｂの縦辷り出し窓４には縦枠１２Ｂの略四角形状のホロー部１２ａと方立５との間に２層または３層ガラスパネルの障子が設置されていた。
本実施形態による連窓１は、これを同一の枠体２を用いて例えば各５層ガラスパネルを納めた障子７と障子８に交換施工してＦＩＸ窓３と縦辷り出し窓４を構成したものである。
【００１８】
本実施形態による連窓１の縦辷り出し窓４では、図１及び図３に示すように、枠体２内に開閉可能に納めた障子８はそれぞれ樹脂からなる上框１７と下框１８と左右の縦框１９とからなる四角形枠状の框体を有し、その内部に例えば５層のガラスパネル２０を備えた複層パネル２１を納めている。
しかも、この縦辷り出し窓４では、複層パネル２１を支持する左右の縦框１９は屋内側のホロー部１９ａが比較的小幅に設定され、屋外側の拡径ホロー部１９ｂが比較的幅が大きく設定された段付き形状とされている。左右の縦框１９における拡径ホロー部１９ｂの屋内側の面には、縦枠１２Ｂの屋外側の段部におけるホロー部１２ａと方立５の先端部５ａにそれぞれ当接する気密材２３ａ、２３ｂが嵌合されている。
【００１９】
また、縦辷り出し窓４において、複層パネル２１は５層のガラスパネル２０がスペーサ２６を挟んで平行に配列されている。５層の複層パネル２１はその四辺端部を上框１７、下框１８、左右の縦框１９に形成した嵌合凹部で嵌合保持されている。上框１７、下框１８、左右の縦框１９において、その屋外側端部にはそれぞれ押し縁２４が凹部に嵌合固定されてヒレ部を介して外側のガラスパネル２０を押圧している。
そして、上框１７、下框１８、左右の縦框１９の屋内側端部にはそれぞれ内側框部２５が一体形成されてヒレ部を介して内側のガラスパネル２０を押圧している。しかも、内側框部２５は対向する押し縁２４よりも複層パネル２１の中央側に突出している。
【００２０】
なお、図１において、縦辷り出し窓４における縦框１９の一方の屋内側の内側框部２５を設置した面には障子８を開閉操作するためのグレモン錠のハンドル２７が取り付けられている。図４に示すハンドル２７には、その開閉操作によって上下動させる施錠用ロックピン２８が連結されている。これに対向する方立５の側壁には、ロックピン２８を係合離脱させるロック溝を有する受け具２９が設けられている。グレモン錠のハンドル２７を開閉方向に操作することによってロックピン２８を上下動させて受け具２９のロック溝に対してロックピン２８のロックとアンロック操作を行う。
また、この縦辷り出し窓４では、複層パネル２１を備えた障子８を屋内側に寄せて縦枠１２Ｂと方立５と上枠１０、下枠１１の間の開口部１３Ｂに設置したため、上框１７、下框１８、左右の縦框１９の屋外側端面は枠体２の上枠１０、下枠１１、左右の縦枠１２Ａ、１２Ｂの屋外側端面とほぼ面一に設定されている。また、縦枠１２Ｂの屋内側の受け部と方立５の屋内側受け部には、閉塞位置にある障子８の左右方向の内側框部２５をそれぞれ受ける気密材３０が固定されている。
【００２１】
次に、ＦＩＸ窓３に５層のガラスパネル２０からなる障子７を設置した構造について説明する。
図１、図２、図４に示すＦＩＸ窓３において、５層のガラスパネル２０をスペーサ２６を介して平行に配列させた複層パネル３２は上述した縦辷り出し窓４と略同一構成を有している。この複層パネル３２を枠体２の縦枠１２Ａと方立５との間の開口部１３Ａに設置する場合、方立５の屋内外方向の長さが枠体２の長さより短く、縦枠１２Ａと上枠１０及び下枠１１は先端側にテーパ状のホロー部１０ｂ、１１ｂ、１２ｂを設置しているために、嵌め殺し用の障子７を装着するためのアタッチメント３３を開口部１３Ａを囲う上枠１０と下枠１１と縦枠１２Ａと方立５とにそれぞれ設置するものとする。
これらのアタッチメント３３は樹脂製であり、方立５の先端に連結する方立アタッチメント３３Ａと、縦枠１２Ａ、上枠１０、下枠１１に連結する縦枠アタッチメント３３Ｂ，上枠アタッチメント３３Ｃ，下枠アタッチメント３３Ｄとからなり、複層パネル３２を装着するために方立５、縦枠１２Ａ、上枠１０、下枠１１を屋外方向に延長させる補助枠を構成する。
【００２２】
次に方立アタッチメント３３Ａについて図４を中心に図５〜図８を参照して説明する。
方立アタッチメント３３Ａは方立５の屋外側に設置するものであり、下枠１１と上枠１０間の距離より若干短い上下方向長さを有している。方立アタッチメント３３Ａは、図４の断面図に示すように複数のホロー部３３ａ、３３ｂを備えた略長方形筒状に形成されており、その屋内側の一方の基片部３４ａを方立５の先端部５ａに当接させ、他方のより長い片に設けたネジ受け部３４ｂを通して、方立５の先端部５ａとホロー部５ｂとの間の受け部５ｃにネジ３５を螺合させて方立５に固定されている。なお、方立５のホロー部内には断熱材１５と鋼製の芯材とが設置されている。
そして、方立アタッチメント３３Ａに形成されたホロー部３３ｂ、３３ａの間にはＦＩＸ窓３側に開口する凹溝部３６が形成されている。この凹溝部３６には複層パネル３２の外側のガラスパネル２０を押圧する押し縁３７が嵌合されている。この押し縁３７も複層パネル３２のスペーサ２６と略同一高さまで突出している。
【００２３】
また、図１において、方立アタッチメント３３Ａに対向する縦枠アタッチメント３３Ｂは、一方の縦枠１２Ａにおける略四角形筒状の屋外側のホロー部１２ａに連結したものであり、下枠１１と上枠１０間の距離に同等の上下方向長さを有している。この縦枠アタッチメント３３Ｂは水平断面視略台形状で複数のホロー部を備えた形状であり、その傾斜面３９がテーパ状のホロー部１２ｂのテーパ面に面接触してネジ３５で固定されている。
また、縦枠アタッチメント３３Ｂの屋内側端部にはばね性のある一対の係合爪４０が形成され、この係合爪４０は縦枠１２Ａのホロー部１２ａに形成した係合受け部４１に係合されている。しかも縦枠アタッチメント３３Ｂの方立アタッチメント３３Ａ側の面は方立アタッチメント３３Ａと略平行に形成されており、その先端面に形成された凹溝部４２には押し縁３７が嵌合されて、複層パネル３２の外側のガラスパネル２０を押圧している。
【００２４】
また、図２に示すＦＩＸ窓３の縦断面図において、縦枠アタッチメント３３Ｂと同様に、上枠１０の略四角形状のホロー部１０ａの屋外側に上枠アタッチメント３３Ｃが固定されており、下枠１１のホロー部１１ａの屋外側にも下枠アタッチメント３３Ｄが固定されている。これら上枠アタッチメント３３Ｃと下枠アタッチメント３３Ｄは縦枠アタッチメント３３Ｂと同様な構造で上枠１０と下枠１１にそれぞれ連結されており、同一または同様な構造には同一の符号と名称を用いている。
【００２５】
そのため、図２及び図５において、上枠アタッチメント３３Ｃの凹溝部４２に嵌合された押し縁３７と、下枠アタッチメント３３Ｄの凹溝部４２に嵌合された押し縁３７は、それぞれ複層パネル３２の屋外側のガラスパネル２０をそれぞれ押圧している。
また、上枠アタッチメント３３Ｃと下枠アタッチメント３３Ｄは長手方向両端が、方立アタッチメント３３Ａの後述するガイド部材４５と縦枠アタッチメント３３Ｂの側面に当接して保持されているものとする。
なお、複層パネル３２の屋内側ガラスパネル２０は方立５、縦枠１２Ａ、上枠１０、下枠１１の各屋内側端部に設けた気密材５５によって押圧されている。
【００２６】
次に、方立アタッチメント３３Ａとその上下端部に設置されたガイド部材４５との連結構造について、図５〜図９によって説明する。方立アタッチメント３３Ａは上枠１０と下枠１１の長手方向中間に設置されるために熱で伸縮した場合に上枠１０または下枠１１を押圧して変形させるおそれがあり、これを防ぐためにガイド部材４５を設置した。
図６、図７はＦＩＸ窓３における枠体２と方立アタッチメント３３Ａと上枠アタッチメント３３Ｃ及び下枠アタッチメント３３Ｄとの連結構造を示すものである。方立アタッチメント３３Ａの上端部と下端部には上枠１０と下枠１１のテーパ状のホロー部１０ｂ、１１ｂに固定されたガイド部材４５がそれぞれ固定されている。
各ガイド部材４５は、図７に示すように、ホロー部１０ｂのテーパ面に固定された正面視略台形状の基部４６と基部４６から上下方向に延びる第一ガイド部４７、第二ガイド部４８とを備え、更に基部４６から水平方向に延びる第三ガイド部４９を備えている。上下の各ガイド部材４５は互いに線対称に形成されている。また、基部４６の屋外側の面には方立アタッチメント３３Ａとの隙間Ｋ１，Ｋ２を隠すための隙間隠し４６ａが突出して形成されている。
【００２７】
そして、上端のガイド部材４５の第一ガイド部４７は方立アタッチメント３３Ａの上端部の略四角形筒状のホロー部３３ａに挿入され、第二ガイド部４８は別のホロー部３３ｂに挿入され、しかも第二ガイド部４８の先端に設けた弾性変形可能なピン４８ａは方立アタッチメント３３Ａの表面に形成された係合穴５２に係合可能とされている。
また、第三ガイド部４９は上枠アタッチメント３３Ｃのホロー部３３ｄ内に挿入され、上枠アタッチメント３３Ｃの表面の穴５６から挿入したネジ３５によって螺合されて固定されている。
下端に設けたガイド部材４５も同様に方立アタッチメント３３Ａの下端部のホロー部３３ａ、３３ｂに挿入する第一、第二ガイド部４７，４８を備え、下枠アタッチメント３３Ｄのホロー部３３ｄ内に挿入された第三ガイド部４９は、下枠アタッチメント３３Ｄの表面の穴から挿入したネジ３５によって螺合され固定されている。
【００２８】
しかも、方立アタッチメント３３Ａとその上側に固定したガイド部材４５の間に若干(例えば２〜３ｍｍ程度)の隙間Ｋ１が形成され、方立アタッチメント３３Ａとその下側に固定したガイド部材４５の間にも若干(例えば２〜３ｍｍ程度)の隙間Ｋ２が形成されている。そして、方立アタッチメント３３Ａが熱で伸長した場合には、ピン４８ａの係止があっても伸びて、上下のガイド部材４５との隙間Ｋ１，Ｋ２で吸収し、それ以上の伸張は基部４６で受け止めることができる。そのため、上枠１０と下枠１１に直接当接させた場合のように方立アタッチメント３３Ａが熱で伸長して上枠１０または下枠１１を押圧して変形させるおそれがない。
方立アタッチメント３３Ａと上下のガイド部材４５との隙間Ｋ１，Ｋ２はいずれか一方のみに形成し、他方は互いに当接させていてもよい。或いは、隙間Ｋ１、Ｋ２を設けずに方立アタッチメント３３Ａと上下のガイド部材４５を互いに当接させてもよい。これらの場合でも方立アタッチメント３３Ａの熱による伸長を吸収できる。
また、方立アタッチメント３３Ａが冷却されて収縮した場合でも、その上下端部に設けたガイド部材４５の第一及び第二ガイド部４７，４８が方立アタッチメント３３Ａの上下のホロー部３３ａ、３３ｂに挿入された状態で収縮するから、方立アタッチメント３３Ａの変形を防止できる。
【００２９】
なお、図８は方立アタッチメント３３Ａの下端部にガイド部材４５を取り付けた状態の要部斜視図である。また、図９はＦＩＸ窓３において、方立５の先端側に方立アタッチメント３３Ａを取り付け、下枠１１の先端に下枠アタッチメント３３Ｄを取り付けた状態を示すものであり、方立アタッチメント３３Ａの下端部に設けたガイド部材４５が先端部を除いて下枠アタッチメント３３Ｄに当接している。
また、方立アタッチメント３３Ａに対向する縦枠アタッチメント３３Ｂにおいては、強度の高い枠体２の縦枠１２Ａに固定されているため、伸縮しても上枠１０と下枠１１で受け止めて変形を防止できる。上枠アタッチメント３３Ｃと下枠アタッチメント３３Ｄにおいても同様である。
【００３０】
本実施形態による連窓１は上述した構成を備えており、次に例えば５層のガラスパネルを備えた障子７、８をＦＩＸ窓３と縦辷り出し窓４に組み込む方法について説明する。
例えば、二層または三層ガラスパネルの複層パネルを枠体２に備えたＦＩＸ窓３と縦辷り出し窓４を方立５の両側に設置した連窓１において、枠体２をそのまま用いて、寒冷地仕様または断熱仕様等のための例えば５層ガラスパネル２０を備えた障子７、８をＦＩＸ窓３と縦辷り出し窓４に交換施工する組み込み方法について説明する。
先ず、縦辷り出し窓４では２層または３層からなる複層パネルの障子を取り外し、屋内側の枠体２の部品を除去して、方立５と他方の縦枠１２Ｂと上枠１０及び下枠１１との間の開口部１３Ｂに５層のガラスパネル２０を備えた複層パネル２１を屋内側に押し付けて設置し、その上下框１７，１８及び左右の縦框１９の屋外側先端面が枠体２の先端面と面一になるように設置する。
【００３１】
縦辷り出し窓４の障子８は、枠体２と方立５との間の他方の開口部１３Ｂに、吊元側の縦框１９回りに外側に開閉可能に納めたものである。図１において、障子８の閉鎖状態で、他方の縦枠１２Ｂと方立５の屋内側端部に設けた気密材３０に障子８の左右の内側框部２５を当接させ、障子８の左右の縦框１９の段付き部に設置した気密材２３ａ、２３ｂを縦枠１２Ｂの段部と方立５の先端部５ａに押圧させて密閉状態に保持できる。
そして、障子８の各框に押し縁２４を取り付けて屋外側のガラスパネル２０を押圧し、その屋外側先端面は、左右の縦枠１２Ａ，１２Ｂ，上枠１０及び下枠１１のテーパ状のホロー部１２ｂ、１０ｂ、１１ｂの先端面と略面一に設置する。
【００３２】
次に、図１及び図４において、二層ガラスパネルまたは三層ガラスパネルの複層パネルの障子をＦＩＸ窓３から取り外す。そして、方立５の先端側に方立アタッチメント３３Ａをネジ３５等で取り付ける。その際、方立アタッチメント３３Ａの長手方向の上端部と下端部のホロー部３３ａ、３３ｂに線対称に設置したガイド部材４５の第一ガイド部４７と第二ガイド部４８をそれぞれ挿入して、第二ガイド部４８のピン４８ａを方立アタッチメント３３Ａの上下の係合穴５２にそれぞれ係合させる。
そして、上下のガイド部材４５の基部４６を上枠１０のテーパ状のホロー部１０ｂのテーパ面と下枠１１のテーパ状のホロー部１１ｂのテーパ面とに両面テープやねじ等で固定する。この状態で上下のガイド部材４５と方立アタッチメント３３Ａの上下端部との一方または両方に隙間Ｋ１，Ｋ２が形成される。
【００３３】
そして、上枠１０と下枠１１に上枠アタッチメント３３Ｃと下枠アタッチメント３３Ｄを設置し、その端部のホロー部３３ｄ内に各ガイド部材４５の第三ガイド部４９を挿入し、上枠アタッチメント３３Ｃと下枠アタッチメント３３Ｄの表面の穴５６を通してネジ３５を第三ガイド部４９のネジ受け部に螺合し固定する。
また、図２に示すように、上枠１０と下枠１１におけるテーパ状のホロー部１０ｂ、１１ｂのテーパ面に上枠アタッチメント３３Ｃ、下枠アタッチメントＤをネジ３５等で固定すると共に、係合爪４０を上下枠１０、１１のホロー部１０ａ、１１ｂに形成した係合受け部４１に係合させることで固定する。
【００３４】
また、図１に示すように、縦枠アタッチメント３３Ｂを方立５に対向する一方の縦枠１２Ａに取り付ける。その際、一方の縦枠１２Ａにおけるテーパ状のホロー部１２ｂの内面に縦枠アタッチメント３３Ｂをネジ３５等で固定すると共に、係合爪４０を縦枠１２Ａのホロー部１２ａに形成した係合受け部４１に係合させることで固定する。
これによって、方立アタッチメント３３Ａの屋外側先端面は左右の縦枠１２Ａ，１２Ｂ，上枠１０及び下枠１１のテーパ状のホロー部１２ｂ、１０ｂ、１１ｂの先端面と略面一に設置される。また、他のアタッチメント３３Ｂ，３３Ｃ、３３Ｄの屋外側先端面は方立アタッチメント３３Ａの屋外側先端面より若干屋内側に引っ込んでいる。
【００３５】
次にＦＩＸ窓３において、５層のガラスパネル２０からなる複層パネル３２を備えた障子７を方立５と縦枠１２Ａ、上枠１０及び下枠１１からなる枠内に装着し、その屋内側のガラスパネル２０を方立５と縦枠１２Ａ、上枠１０及び下枠１１に設けた気密材５５に押圧する。そして、屋外側のガラスパネル２０には、方立アタッチメント３３Ａに形成した凹溝部３６に嵌合させたヒレ部付きの押し縁３７を押圧させる。同様に、縦枠アタッチメント３３Ｂ、上枠アタッチメント３３Ｃ，下枠アタッチメント３３Ｄにそれぞれ形成した凹溝部４２に嵌合させたヒレ部付きの押し縁３７を押圧させる。
【００３６】
本実施形態による連窓１において、図４に示す方立アタッチメント３３Ａはその屋内側のネジ受け部３４ｂを通して方立５の受け部５ｃにネジ３５を螺合させて方立５に固定しているため、外部に露出しない。また、方立アタッチメント３３Ａを支持する上下のガイド部材４５の第三ガイド部４９を上枠アタッチメント３３Ｃと下枠アタッチメント３３Ｄに固定するネジ３５は各アタッチメント３３Ｃ、３３Ｄに埋め込まれて障子７によって隠れるため、外観に露出せず意匠性がよい。
【００３７】
本実施形態による連窓１は、方立アタッチメント３３Ａの上下端部にガイド部材４５を設けたため、直射日光や高温環境等によって方立アタッチメント３３Ａが伸長したとしても、上下のガイド部材４５の第一ガイド部４７と第二ガイド部４８によって伸長方向をガイドされ、しかも、隙間Ｋ１，Ｋ２を埋めることで吸収できる。また、方立アタッチメント３３Ａが更に伸長してもガイド部材４５の基部４６で受けることができる。
そのため、方立アタッチメント３３Ａが上枠１０や下枠１１を押圧して変形させることを防止できる。
また、方立アタッチメント３３Ａが低温環境等で収縮しても上下端部のガイド部材４５との間にガイド部材４５の隙間隠し４６ａを有するため、隙間Ｋ１，Ｋ２が目立たず意匠性が良い。
【００３８】
なお、上枠１０と下枠１１、左右の縦枠１２Ａ、１２Ｂは互いに当接する角部を熱溶着しているために高強度であり、これらに取り付けた縦枠アタッチメント３３Ｂ、上枠アタッチメント３３Ｃ、下枠アタッチメント３３Ｄの熱による伸縮を抑制できる。
なお、５層や４層のガラスパネル２０の複層パネル２１、３２から２〜３層のガラスパネルの複層パネルに交換施工する場合には、上述の組込み方法と逆の手順で方立アタッチメント３３Ａ、縦枠アタッチメント３３Ｂ、上枠アタッチメント３３Ｃ、下枠アタッチメント３３Ｄを取り外せばよい。
【００３９】
上述したように本実施形態による連窓１によれば、枠体２に方立アタッチメント３３Ａ、縦枠アタッチメント３３Ｂ、上枠アタッチメント３３Ｃ、下枠アタッチメント３３Ｄを着脱することで、ガラスパネル２０の枚数が異なって見込み幅の異なる５層の複層パネル２１、３２を交換施工して設置することができる。
また、方立５に連結する方立アタッチメント３３Ａは、その長さを上枠１０と下枠１１との間の長さよりも短く設定すると共に、上下端部に隙間Ｋ１、Ｋ２を介してガイド部材４５を設置したため、熱で方立アタッチメント３３Ａが伸長しても隙間Ｋ１，Ｋ２を埋めることで吸収でき、更に隙間Ｋ１，Ｋ２を超える伸長があってもガイド部材４５で受けることができて、上枠１０や下枠１１を押圧変形することを防止できる。
また、方立アタッチメント３３Ａの上下端部に設けたガイド部材４５に隙間隠し４６ａを形成して隙間Ｋ１、Ｋ２を隠すことができるため、伸縮に関わらず外部から目立たず意匠性が向上する。第一及び第二ガイド部４７，４８を方立アタッチメント３３Ａのホロー部３３ａ、３３ｂに挿入して伸縮をガイドすることで方立アタッチメント３３Ａの熱による変形を抑制できる。
【００４０】
なお、本発明による連窓１は、上述した実施形態に限定されるものではなく、本発明の要旨を逸脱しない範囲で適宜の変更や置換等が可能である。以下に、本発明の変形例について上述した実施形態と同一または同様な部品や部分には同一の符号を用いて説明する。
【００４１】
例えば上述した実施形態では、方立アタッチメント３３Ａの熱による伸縮のガイドとして、ホロー部３３ａ、３３ｂ内に第一及び第二ガイド部４７，４８を挿入したガイド部材４５をその上下端部に設置したが、本発明はこのような構成に限定されない。
例えば、ガイド部材４５は方立アタッチメント３３Ａの上下の一方にのみ設けて他方に間隙を形成してもよい。この場合、熱による方立アタッチメント３３Ａの伸びは間隙で吸収できる。或いは、両側のガイド部材４５に代えて間隙を形成して、方立アタッチメント３３Ａの伸張を間隙で吸収するようにしてもよい。この場合、方立アタッチメント３３Ａは上枠１０または下枠１１に固定してもよい。
【００４２】
次に、本実施形態の他の変形例を図１０及び図１１によって説明する。図１０に示すように、例えば段付き形状の方立アタッチメント６０が形成され、この方立アタッチメント６０の下端部と上端部に、方立アタッチメント６０の上下端部を嵌入させた開口を有する箱形のキャップ６１をガイド部材として設置している。図１０では下端部の方立アタッチメント６０とキャップ６１だけを示している。
【００４３】
本変形例では、方立アタッチメント６０は例えば図１１に示すようにＦＩＸ窓６２の障子７が方立アタッチメント６０の段付け部６０ａに当接して閉塞状態に保持されている。また、キャップ６１は下枠１１上に固定されている。
そして、熱によって方立アタッチメント６０が伸長した場合には、キャップ６１内に方立アタッチメント６０が進入し、収縮した場合にはキャップ６１内で方立アタッチメント６０が後退するようになっている。
本変形例では、方立アタッチメント６０自身がキャップ６１に対する進退のガイド部になるため、一層簡単な構成になる上に方立アタッチメント６０とキャップ６１との間隙が目立たないので意匠性が高い。また、方立アタッチメント６０とキャップ６１の断面形状は任意であり、例えば断面四角形状でもよい。
【００４４】
また、上述した実施形態では、連窓１の方立５に設けた方立アタッチメント３３Ａと方立アタッチメント３３Ａの熱伸縮をガイドする上下端部のガイド部材４５について説明したが、ガイド部材４５に代えて上述したキャップ６１を設けてもよいことはいうまでもない。
また、上述した実施形態では、連窓１において方立５を挟んで水平方向に配設したＦＩＸ窓３と縦辷り出し窓４について説明したが、上記の構成に代えて、左右の縦枠間のＦＩＸ窓３と縦辷り出し窓４等の窓を上下に設置し、左右の縦枠の中間に無目を設置した構成でもよい。そして、無目の屋外側に方立アタッチメント３３Ａに相当する無目アタッチメントを設置して、その両端部または一端部にガイド部材４５やキャップ６１、或いは間隙を設置して、無目の熱による伸縮を吸収して左右の縦枠を押圧して変形することを防止できる。
【００４５】
また、上述した実施形態では、５層のガラスパネル２０を備えたＦＩＸ窓３や縦辷り出し窓４について説明したが、本発明で用いる複層パネルは、５層に限定されるものではなく、４層や６層以上など適宜の枚数のガラスパネル２０に適用できる。
また、上枠１０、下枠１１、左右の縦枠１２Ａ，１２Ｂにおいて見込み方向の屋外側がテーパ状ホロー部に代えて断面四角形状のホロー部で形成していれば、上枠アタッチメント３３Ｃ，下枠アタッチメント３３Ｄ，縦枠アタッチメント３３Ｂを省略できる。
【００４６】
なお、上述した実施形態では、連窓１におけるＦＩＸ窓３と縦辷り出し窓４の配置構成を例にとって説明したが、本発明はＦＩＸ窓３と縦辷り出し窓４を配列した連窓に限定されない。本発明は、例えば縦辷り出し窓４や横辷り出し窓等の各種の窓を備えた方立や無目を有する連窓や単独の窓等の各種の建具に用いてもよい。
【符号の説明】
【００４７】
１  連窓
２  枠体
３、６２  ＦＩＸ窓
４  縦辷り出し窓
５  方立
７，８  障子
１２Ａ，１２Ｂ  縦枠
１３Ａ、１３Ｂ  開口部
１５  断熱材
２１、３２  複層パネル
２４、３７  押し縁
３３Ａ、６０  方立アタッチメント
３３Ｂ  縦枠アタッチメント
３３Ｃ  上枠アタッチメント
３３Ｄ  下枠アタッチメント
４５  ガイド部材
４６  基部
４６ａ  隙間隠し
４７  第一ガイド部
４８  第二ガイド部
６１  キャップ
【図１】
0006611240.tif 000002
【図２】
0006611240.tif 000003
【図３】
0006611240.tif 000004
【図４】
0006611240.tif 000005
【図５】
0006611240.tif 000006
【図６】
0006611240.tif 000007
【図７】
0006611240.tif 000008
【図８】
0006611240.tif 000009
【図９】
0006611240.tif 000010
【図１０】
0006611240.tif 000011
【図１１】
0006611240.tif 000012